【事件の表示】
　特願２００４−２６１１１８「試薬モジュールの自動積載及び自動取り出し機構を有する分析器」拒絶査定不服審判事件〔平成１７年　１月１３日出願公開、特開２００５−　１０１７６〕について、次のとおり審決する。
【結　論】
　本件審判の請求は、成り立たない。
【理　由】
第１　手続の経緯 
　本願は、平成６年７月１日（パリ条約による優先権主張　１９９３年７月１日、米国（ＵＳ）；１９９４年６月２７日、米国（ＵＳ））にされた特許出願（平成６年特許願第１５０８５１号）の一部を、特許法第４４条第１項の規定により平成１６年９月８日に新たな特許出願（２００４年特許願第２６１１１８号。以下、「本件出願」という。）として出願したものであって、拒絶査定が平成１８年１月３０日付けでなされ、同年２月７日に発送されたところ、拒絶査定に対する審判が同年５月８日に請求されたものである。
　　　　　　
第２　本件出願に係る発明
　本件出願の請求項１〜３に係る発明は、平成１６年１０月８日付け手続補正書及び平成１７年８月１２日付け手続補正書により補正された明細書及び図面の記載からみて、特許請求の範囲の請求項１〜３記載されたとおりのものであって、その請求項１に係る発明は次のとおりのものと認める。
　　　　　　　　 
「【請求項１】試薬容器と反応キュベットとを収容するパイ形状のモジュールと、該モジュールを積載する回転可能なロータと、該ロータに向かって前記モジュールを移送するモジュール移送手段と、を具備し、前記モジュール移送手段と前記モジュールとのいずれか一方が突出舌片を有すると共に、前記モジュール移送手段と前記モジュールとの他方が前記突出舌片と協動する第１の溝を有し、これら突出舌片と第１の溝とが前記モジュール移送手段によってモジュールが移送せしめられる方向に対して略垂直な方向へ延びており、前記モジュール移送手段が突出舌片を有している場合には、該突出舌片を前記第１の溝に協動させつつロータに向かって移動させることによってモジュールがロータに向かって移送せしめられ、一方、前記モジュール移送手段が第１の溝を有している場合には、該第１の溝を前記突出舌片に協動させつつロータに向かって移動させることによってモジュールがロータに向かって移送せしめられ、ロータが回転せしめられたときには突出舌片と第１の溝とが相対的に摺動して突出舌片が第１の溝から抜け出るようになっている分析器において、前記モジュールが該モジュールがロータに向かって移送せしめられる方向へと直線的に延びる第２の溝を有し、前記ロータが該第２の溝と協動可能なガイドを有し、前記モジュール移送手段によってモジュールがロータに向かって移送せしめられるときにこれら第２の溝とガイドとが協動するようになっていることを特徴とする分析器。」
　
　請求項１に係る上記発明は、その構成において、モジュール移送手段が突出舌片を有しモジュールが第１の溝を有する場合と、モジュールが突出舌片を有しモジュール移送手段が第１の溝を有する場合の双方を含むものであり、前者の場合における請求項１に係る発明（以下、この発明を「本願発明」という。）は次のとおりである。
　
「試薬容器と反応キュベットとを収容するパイ形状のモジュールと、該モジュールを積載する回転可能なロータと、該ロータに向かって前記モジュールを移送するモジュール移送手段と、を具備し、前記モジュール移送手段が突出舌片を有すると共に、前記モジュールが前記突出舌片と協動する第１の溝を有し、これら突出舌片と第１の溝とが前記モジュール移送手段によってモジュールが移送せしめられる方向に対して略垂直な方向へ延びており、該突出舌片を前記第１の溝に協動させつつロータに向かって移動させることによってモジュールがロータに向かって移送せしめられ、ロータが回転せしめられたときには突出舌片と第１の溝とが相対的に摺動して突出舌片が第１の溝から抜け出るようになっている分析器において、前記モジュールが該モジュールがロータに向かって移送せしめられる方向へと直線的に延びる第２の溝を有し、前記ロータが該第２の溝と協動可能なガイドを有し、前記モジュール移送手段によってモジュールがロータに向かって移送せしめられるときにこれら第２の溝とガイドとが協動するようになっていることを特徴とする分析器。」
 　 
第３　引用刊行物の記載
（１）原査定の拒絶の理由に引用された特開昭６２−１１９４６０号公報(以下、「刊行物１」という。）には、「ランダムアクセス自動分析装置」について、次の事項が図面とともに記載されている。
　
（１ａ）特許請求の範囲第１項
「サンプルを分析するための自動化された装置であつて、
　複数の試薬パツケージであつて各パツケージが複数の容器を有し、少なくとも一つの容器が液体サンプルを含み、少なくとも一つの容器が該液体サンプルと反応混合物を形成するための液体試薬を含んでいる上記パツケージを組み込んだ架台を設置するための導入ステーシヨン、
　試薬パツケージの一つまたはそれ以上の容器に含まれている液体を、反応混合物が形成されるように、試薬パツケージの異なる容器間に移送するための液体移送ステーシヨン、
　該液体移送ステーシヨンを通過した複数の試薬パツケージを保持するためのインキユベーシヨン保管領域、
　架台中の各パツケージが該液体移送ステーシヨンに隣接した位置にくるように該架台を移動させ、一度に該パツケージの一つを架台から取り出して、これを該液体移送ステーシヨンおよび当該インキユベーシヨン保管領域に移動させるためのシャツトルシステムであって、さらに個々のパツケージを該保管領域から該移送ステーシヨンおよび導入ステーシヨンにおける該架台に移動させるように作用するシャツトルシステム、および
　いずれかの該パツケージの容器の一つに含まれている反応混合物を分析して、サンプルの特性を求めるための検出器からなる装置。」
　
（１ｂ）産業上の利用分野について
「本発明は自動分析装置に関するものであり、更に詳しくはランダムアクセスに基づく、物質の化学的すなわち免疫化学的試験のための自動分析装置に関するものである。」（公報第５頁右上欄９〜１２行）
　
（１ｃ）ランダムアクセス自動分析装置１０について
「図１に本発明によるランダムアクセス自動分析装置１０の好ましい実施例を図式的に示す。・・・本発明の好ましいランダムアクセス自動分析装置の主要構成部品は次の通りである。すなわち導入ステーション１４，シヤトルシステム１５、液体移送ステーシヨン１６、インキユベーシヨン保管場所１８、検出アセンブリ１９・・・である。」（公報第８頁左上欄３〜１４行、第１図）
  　
（１ｄ）導入ステーション１４、試薬パッケージ２４、及び架台２２について
「導入ステーション１４と、複数個の試薬パツケージ２４を保持するための架台２２が図１〜３図に示されている。・・・各試薬パツケージ２４は、実質的に平面状の上部ストリツプ３５と複数個の容器３６，３８，３９，４０，４１，４２からなる。これらの容器は、容器全部を単一のパツケージとしてスロツト２８に滑り込ませることができるように、一列に整列させるのが好ましい。試薬パツケージのストリツプ３５がスロツトの上にかかつた状態で上部プレート２６上に載り、これによつて試薬パツケージが架台の所定の位置に保持される。・・・容器３６には分析のための最終反応混合物が保持されていると考えられるので、架台におけるその位置が重要となる。・・・他方、容器４２は分析すべサンプルが最初に入れられる容器と考えられる。・・・他の残りの容器は、一つ以上の容器が予備パツケージされた液体試薬を含んでいる限りにおいて、蓋をして密閉するのが好ましい。」（公報第８頁左上欄１７行〜右下欄６行、第１図〜第３図）
　
（１ｅ）シャツトルシステム１５、液体移送ステーション１６について
「シヤツトルシステム１５には、架台から一度に試薬パツケージの一つを取出すための、またこれを液体移送ステーシヨン１６に移送するための別の駆動機構が組み込まれている。このため、架台内にガイドレール５８が、架台２２の長さ方向軸に実質上垂直でかつスロツト２８に実質上平行に伸びるように設置されている。ガイドレール５８には、試薬パツケージ２４のストリツプ部材３５を収容できる大きさおよび形状のトラツク５９が設けられている。一つ以上の滑りタブ６０がトラツク５９と連結しており、トラツク５９に沿つて移動できるようになつている。可動タブ６０は、架台２２のスロツト２８中に位置した試薬パツケージのストリツプ部材３５とかみ合うように適合されている。タブ６０の移動およびストリツプ部材３５とのかみ合いにより、試薬パツケージは液体移送ステーシヨン１６に入るまで、トラツク５９に沿つて架台のスロツトからスライドする。図４からわかるように、ガイドレール５８は架台２２とインキユベーシヨン保管場所（円形コンベヤー１８）の間に伸びている。試薬パツケージを移送するためのシヤツトルシステムは、試薬パツケージが架台２２と円形コンベヤー１８の間で何れの方向にも動き、さらに液体移送ステーシヨン内で異なる位置に前後移動して、試薬パツケージのいろいろの容器にアクセスできるよう設計されている。」（公報第９頁右上欄１２行〜左下欄１８行、第１図、第４図、第５図）
　
（１ｆ）円形コンベヤー１８について
「上記したような反応混合物を含んだ試薬パツケージが液体移送ステーシヨン１６からインキユベーシヨン保管場所（円形コンベヤー１８によつて表わされている）に移送される。試薬パツケージ２４が放射状に拡がつているスロツト９０に入り込むように、ガイドレール５８とトラツク５９が円形コンベヤー１８に伸びている。スロツト９０は、そのサイズと形状が架台２２のスロツトと類似しており、従つて試薬パツケージをその中に保持することができ、移送の必要が生じた場合には、スライドして自由に出入ができるようになつている。・・・円形コンベヤー１８は軸９１の周りに、時計方向にも反時計方向にも回転可能である。この点において、試薬パツケージが円形コンベヤー１８の中にランダムに入り込むか又は円形コンベヤーからランダムに抜き取られて、液体移送ステーシヨン１６へ移送されるか又は液体移送ステーシヨンから送られてくることができるように、各スロツト９０はガイドレール５８に関して位置を決めることができるようになつている。」（公報第１２頁左下欄９行〜右下欄１４行、第１図、第４図、第５図）
　　
（１ｇ）検出アセンブリ１９について
「試薬パツケージ２４は円形コンベヤー１８中に戻され、・・・試薬パツケージが分析工程にかけられ検出アセンブリによつて分析される。・・・本発明の実施例の一つにおいては、分析を行うために、光エネルギーの原理を使用した検出アセンブリ１９が利用されている。例えば、容器３８中の反応混合物には、検討中のサンプルの一つ以上の成分と結合した螢光マーカーが含まれている。白熱灯やレーザーなどのような光源が検出アセンブリ１９と連結された状態で供給され、反応混合物を含む容器３６に光エネルギーが導かれる。上に指摘したように、容器３６は円形コンベヤー１８のスロツト９０の最も外側に位置しているので検出アセンブリ１９の前にくる。検出アセンブリ１９からの光が容器３６を照射し、混合物中の螢光マーカーが励起されて、螢光発光が生じる。電子増倍管などのような適当な螢光検出器を用いてこの螢光を検出することによつて、分析すべきサンプル中に存在する特性物質の量を測定することができる。」（公報１３頁左下欄１行〜右下欄６行、図１）
（１ｈ）シャトルシステム１５の移動方向と円形コンベヤー１８の移動方向について
　第１図にはシャトルシステム１５が円形コンベヤー１８のスロット９０の方向に試薬パッケージ２４を移動させてスロット９０に収容させると、円形コンベヤー１８は収容された試薬パッケージ２４をシャトルシステム１５が試薬パッケージ２４を移動させたスロット９０の方向に直交する方向に円回転させることが描かれている。
　　　　　　　　
（２）原査定の拒絶の理由に引用された特開昭６３−２９２５５号公報（以下、「刊行物２」という。）には、「試薬容器およびその製造方法」について、次の事項が図面とともに記載されている。
　
（２ａ）技術分野について
「本発明は、一般的には、自動化された臨床用化学分析器の分野に関わり、より詳細には、このような分析器内の試薬の貯蔵および移送に関する。」（公報第２頁左下欄１４〜１７行）
　
（２ｂ）試薬容器１０について
「第１図を参照すると、本発明に係る試薬容器１０は上部一体成形の本体１２と、成形された底部材１４とを含む。本体１２および底部材１４は、後述するように、完成試薬容器を形成するように互いに溶接されている。本体１２は、臨床分析に供される試薬を受け入れかつ収容するように適合された三つの試薬貯蔵の区画室１６，１８，２０を規定するように形成されている。この例では、区画室１６，１８，２０の容積は、それぞれ、５ｍｌ、２５ｍｌ、１２５ｍｌである。」（公報第４頁右下欄９〜１８行、第１図）
　
（２ｃ）試薬容器の本体１２について
「本体１２は、貯蔵区画室１６，１８，２０のそれぞれの頂壁を形成する頂部３４（第１図および第３図）を含む。・・・複数のウエブ３６（第１図、３図および４図）が貯蔵区画室１６，１８，２０を連結し、また、本体１２に剛性を与える。この例では、ウエブ３６は六つの横ウエブ部材３７ａと、貯蔵区画室１６，１８間および貯蔵区画室１８，２０間の縦ウエブ部材３７ｂ，３７ｃとを含む。・・・横ウエブ部材３７ａの外縁４２は、端部２６の近辺で始まりかつ貯蔵区画室１６の回りに伸びる頂部３４の外縁４４と同じの全体周辺輪郭である。」（公報第５頁左上欄５行〜右上欄３行、第１図、第３図、第４図）
　
（２ｄ）容器入口のカラー６２について
「第１図および第３図を参照すると、本体１２は、貯蔵区画室１６，１８，２０へのそれぞれの通路のために頂部３４を貫通して形成された入口開口４８，５０，５２を含む。筒状の首５４，５６，５８が開口４８，５０，５２をそれぞれ取り巻き、首５４，５６，５８の上部が貯蔵区画室１６，１８，２０に封をするためのキャップ（図示せず）を受けるためのねじ山６０を有する。各首５４，５６，５８はまた環状のカラー６２を有する。カラー６２は、容器１０が第１図に示すように組み立てられるときに底部材１４から予め定められた間隔をおかれる。カラー６２は共に頂部３４に平行な面を規定し、また、頂部３４と首５４，５６，５８のそれぞれのねじ山６０との間に位置する。」（公報第５頁右上欄１６行〜左下欄１０行、第１図、第３図）
　
（２ｅ）爪部材６４について
「頂部３４に爪部材６４（第１図および第３図）が設けられている。爪部材６４は、頂部３４から上方へ突出するとともに首５４，５６，５８に整列された矩形体を規定する縦壁６６を含む。爪部材６４はフランジ６８，７０を含み、該フランジは壁６６から全体に壁部材３０，３２に向けてまた環状のカラー６２と同一の面内を外方へ突出する。フランジ６８，７０のそれぞれは、首５８から離れる方へ下方に向けておよび環状のカラー６２により規定された面から頂部３４に向けて傾斜する部分７２を含む。各部分７２は、環状のカラー６２により規定された面に戻る歯７４に帰する。」（公報第５頁左下欄１１行〜右下欄３行、第１図、第３図）
　
（２ｆ）カルーゼル９８について
「第７図および第８図を参照すると、試薬容器１０は、その貯蔵装置の一例である試薬容器カルーゼル９８に挿入され、また、これにより運ばれる。カルーゼル９８は自動臨床用器械（図示せず）に回転可能に据えられ、また、好ましくは、後述するように、プローブ使用の試薬の取り出しのためにカルーゼル９８で運ばれた複数の試薬容器１０の一つを位置決めるべく自動的に回転される。・・・ハブ１００は複数の放射状配置の指状物１０４を支持し、該指状物は、ハブ１００の回りに放射状に配置された複数のスロット１０６を順次に規定する。各スロット１０６の側壁は、テーパ状の開口１０８を規定するように、カルーゼル９８の周囲の近くで外方に伸びる。カルーゼル９８に剛性を付加すべく、カルーゼル９８の外縁部に関連して周囲補強部材１０９が形成されている。補強部材１０９は第８図に示すようにテーパ状の開口１０８の上方にあって、次に説明するように、試薬容器１０の挿入および取り除きのための明確な道筋を与える。各スロット１０６は内方の肩部１１０を含む。くぼみ１１２が肩部１１０にカルーゼル９８の周囲に近接して形成されている。」（公報第６頁右上欄１行〜左下欄９行、第７図、第８図）
　
（２ｇ）容器１０の挿入、取出しについて
「これから説明するように、複数の容器１０がカルーゼル９８に挿入されまた該カルーゼルにより運ばれる。・・・より詳細には、スロット１０６は試薬容器１０の頂部における首５４，５６，５８および爪部材６４を受け入れるように適合されている。容器１０の狭小端部における貯蔵区画室１６がスロット１０６の一つに先に挿入され、環状のカラー６２およびフランジ６８，７０が前記スロットに配置されまたスロット１０６内の肩部１１０に支持される。試薬容器１０がスロット１０６に完全に挿入されるに従って、爪部材６４の部分７２がくぼみ１１２に納まり、歯７４はカルーゼル９８の周囲に最も近いくぼみ１１２の縁部に寄り掛る。このようにして、容器１０はカルーゼル９８に保持され、カルーゼル９８は遠心力による容器１０の移動なしにシャフト１０２により回転される。さらに、くぼみ１１２および歯７４とともに肩部１１０およびカラー６２の組み合わせは、試薬の取り出し、移送のためのプローブによる実際的なまた反復可能な近接のために、容器をカルーゼル９８に正確に位置させる。」（公報第６頁左下欄１０行〜右下欄１３行、第７図、第８図）
　
（３）原査定の拒絶の理由に引用された特開昭５２−３３２７３号公報（以下、「刊行物３」という。）には、「物品処理装置」について、次の事項が図面とともに記載されている。
　
（３ａ）特許請求の範囲
「複数個の物品を蓄積し、運搬し、少なくとも１ケ所の仕事位置に送り出す為の物品処理装置にして、該物品処理装置は、複数個の上記物品を夫々保持するための複数個の物品支持体と、該複数個の物品支持体を運搬するための少なくとも１個のマガジンと、該マガジンを第１の路に沿つて移動させるための第１のコンベア手段と、上記物品支持体を第２の路に沿つて移動させるために上記第１の路と予め定められた位置で交わり且つ上記少くとも１つの仕事位置にまで延びている第２のコンベア手段と、上記物品支持体を上記マガジンの内部及び上記第２のコンベア手段に対して上記予め定められた位置に移送する為の物品支持体移送手段とを含み、上記第１のコンベア手段は上記マガジンを上記予め定められた位置に歩進的に位置決めするように動作し、上記物品支持体移送手段は、上記第２のコンベア手段により上記第２の路に沿つて移動しうる突起部材を有し、上記物品支持体の夫々は上記突起部材と係合される協動部材を有し、上記物品支持体は上記マガジンにより支持される場合、夫々の協動部材が略整列された状態になつており、上記マガジンは上記物品支持体を保持している場合、上記整列された協動部材を露出させるように構成されており、上記突起部材は該部材が上記整列された協動部材と整列している上記予め定められた位置にホーム位置を有し、上記マガジン及び上記物品支持体は上記突起部材が上記ホーム位置にあり且つ上記第１のコンベア手段が上記予め定められた位置に上記マガジンを歩進させている場合に上記突起部材に対して互いに妨害しない関係にあることを特徴とする物品処理装置。」
　
（３ｂ）発明の目的について
「本発明の更に他の目的は、マガジンに収納される複数個の試験試料容器を処理するための物品処理装置を提供するにある。」（公報第２頁左下欄１９行〜右下欄１行）
　
（３ｃ）装置全体の構成について
「第１図及び２図を参照するに、マガジン１０は複数個の物品支持体１１を支持している。・・・物品支持体の夫々は、複数個（例えば７本）の試験管１２を支持している・・・参照番号１４で示されている第１の運搬装置若しくはコンベア装置は、垂直１点鎖線で示された物品支持体移送位置１６を通つて延びている第１の路に沿つて所定の方向にマガジン１０を運搬する。参照番号１８で示された第２の運搬装置若しくはコンベア装置は、第２の路に沿つて個々の物品支持体１１を移送する。第２コンベア装置１８は、物品支持体移送位置１６の位置の所定の位置で上記第１の路と交わつている。第２コンベア装置１８は第２図で１点鎖線で示されている仕事位置２０まで少なくとも延びている。」（公報第３頁右上欄１１行〜左下欄９行、第１図、第２図）
　
（３ｄ）マガジンの構成について
「マガジンの底面板５６の内側表面及び上面板６８の内側表面には一定の間隔で平行に溝が切られていて、（例えば溝８２）これら溝の間には、一段高くされて一様な幅を有し横方向に平行な複数個の路８０が形成されている。上面板６８の夫々の路８０は底面板５６の路８０の対応する１つと整列している。後述の如く、この様に整列された１対の路８０が協動して、マガジン１０の物品支持体１１を出し入れする為に使用される案内路を形成する。本発明によれば、マガジン１０の側面板６２の下隅角部分の夫々に於いて、凹所若しくは切り取り部分８４が端面板６４及び６６の夫々に形成されている。」（公報第５頁左上欄４〜１６行、第３図、第４図）
　
（３ｅ）物品支持体の構成について
「良好な実施例では、物品支持体１１の夫々は第１図、第２図及び第５図で示される様に、後側面板８６、前側面板８８、そして横板９０、９２、９４で組み立てられているラック式の形状を有している。・・・図示の如く、開孔９６と凹所９８の整列された一対の夫々により試験管１２が直立して且つ安定した方法で保持できる。・・・前側面板８８及び横板９４の夫々の底表面のわく８８Ｌ及び９４Ｌは略同じ平面上にある。上記底表面のわく９４Ｌの内側にはマガジン１０の底面に形成された略８０の夫々の断面の形状とうまくあつた形の凹所９４Ｒが形成されている。・・・後側面板８６及び前側面板８８の上部の突起８６Ｕ及び８８Ｕで形成された領域には、マガジン１０の上面板の路８０の断面の形状とうまくあった形状をしている横方向に整列された凹所１００が形成されている。」（公報第５頁左上欄１７行〜左下欄４行、第１図、第２図、第５図）
　
（３ｆ）物品支持体の協動部材手段について
「物品支持体１１の夫々は、支持体移送手段２２の突起部材１０４により係合される協動部材手段を有している（第２図参照）。良好な実施例では、前側面板８８の下端の覆われていない垂直方向の内側表面と、横板９４の下前端に沿つた長方形状の切り取り部分９４Ｅとの間に形成された凹所１０６が上記協動部材手段となる。第２図に示される様に、マガジン１０が物品支持体１１を収納している場合、物品支持体１１の整列した凹所１０６と予め定められた整列関係にある切り取り部分８４から上記整列した凹所１０６がみえる。」（公報第５頁左下欄２０行〜右下欄１０行、第２図）
　
（３ｇ）支持体移送手段について
「第２図及び５図に示されている様に、支持体移送手段２２は、平坦なプレート状の延長部分１３２を有したＵ型の運搬手段１３０を有している。Ｕ型の運搬手段１３０はその垂直部分１３４及び１３６でローラ１３８とジヤーナル化され、整列されている。このローラ１３８はＬ型レール１４０、１４２の路肩部分に沿つて移動する様になつている。Ｌ型のレール１４０、１４２はプレート１２２の裏面でつるされている。このＵ型の運搬手段１３０はねじ若しくはリベツト１４４でベルト１０８の上部表面に取り付けられている。突起部材１０４は、Ｕ型運搬手段１３０の延長部分１３２上で垂直に装着され且つ、プレート１２２に長く延びて形成されたスロツト１４６を通過する。・・・１対のＬ型ガイド板１４８、１５０がプレート１２２の表面のスロツト１４６の夫々の側に設けられていて、物品支持体１１が支持体移送手段２２により移動する場合、上記Ｌ型ガイド板１４８、１５０に沿つて移動する。」（公報第６頁左上欄８行〜右上欄１８行、第１図、第２図、第５図）
　
（３ｈ）突起部材のホーム位置について
「静止状態では、支持体移送手段２２及び突起部材１０４は、第２図に示される様なホーム位置にある。この様な位置では、第１コンベア装置１４上を移動される任意の物品支持体を収納したマガジン１０のために、整列した切り取り部分８４及び凹所１０６と突起部分１０４とが整列した関係にある。この結果、上記物品支持体を収納マガジン１０が突起部分１０４を第２図に示される様にまたいだ状態にされ突起部分１０４によつて阻止されることなく自由に移動できる。」（公報第６頁右上欄１９行〜左下欄８行、第２図）
　
（３ｉ）物品処理装置の動作について
「動作について説明するに、物品支持体１１を収納したマガジン１０は、モータ５０により付勢された状態若しくは付勢されていない状態の第１のコンベア装置１４上に置かれる。マガジン１０は、付勢されたステツプ・モータ５０により駆動されている第１コンベア装置１４により移送位置１６まで移動する。・・・上記の様な位置に所望の物品支持体１１が置かれると、ステツプ・モータ５０がオフにされ、第１コンベア装置１４を停止する。次いで、第２コンベア装置１８のステツプ・モータ１２６が付勢され突起部材１０４が磁石１０２と条線７２の間に生じた磁力に十分に打ち勝つことができる様な引つぱり力を物品支持体１１に及ぼす。この後に、所望な試料が仕事位置２０の夫々に並置される様に、ステツプ・モータ１２６が物品支持体１１を歩進的に位置決めする。・・・特定の物品支持体に於いて試験されるべき総ての試料についての試験が終了した後、ステツプ・モータ１２６の回転方向が逆転され、物品支持体１１がマガジン１０に戻り、突起部材１０４がホーム位置に戻り、この結果、次に所望の物品支持体１１が引き出される様にマガジン１０の位置が第１コンベア装置１４により再び定められる。総ての所望の物品支持体１１が予定の順番で引き出され、物品支持体で運ばれた試料が仕事位置２０で試験され、その後マガジン１０に戻されそして突起部材１０４がホーム位置に戻された後、物品支持体を収納している次のマガジンが進行する様に、第１コンベア手段１４はマガジン１０を移送位置１６から移動させる為に作動する。」（公報第６頁右下欄１９行〜第７頁右上欄１４行、第１図、第２図）
　　　　　　　　
（３ｊ）第１コンベア装置１４と第２コンベア装置１８の動作について
　第１図には、第１コンベア１４装置によりマガジン１０がＸ方向に移動すること、及び第２コンベア装置１８によりマガジン１０に収容された物品支持体１１がＹ方向に移動することが描かれ、さらに第２図には、第２コンベア装置１８により移動する支持体移送手段２２の突起部材１０４が物品支持体１１の凹所１０６と係合することが描かれている。
　
第４　対比・判断
（１）本願発明の分析器と刊行物１記載のランダムアクセス自動分析装置との対比
　上記記載（１ａ）〜（１ｈ）によれば、刊行物１には、
「試薬パッケージ２４を組み込んだ架台２２を設置するための導入ステーション１４、
　試薬パッケージ２４内の液体を反応混合物を形成させるため相互に移送させる液体移送ステーション１６、
　液体移送ステーション１６通過後の試薬パッケージ２４を保持する円形コンベヤー１８、
　試薬パッケージ２４を、架台２２、液体移送ステーション１６、及び円形コンベヤー１８に移動させるためのシャットルシステム１５、
　及び反応混合物を分析する検出アセンブリ１９、
　からなるランダムアクセス自動分析装置。」の発明（以下、「刊行物１記載の発明」という）が記載されている。
（i）そこで、本願発明と、上記刊行物１記載の発明とを対比すると、刊行物１記載の発明の「ランダムアクセス自動分析装置」は、分析器であるから、本願発明の「分析器」に相当する。
（ii）さらに、刊行物１記載の発明における「試薬パッケージ２４」は、サンプルが入れられる容器４２、液体試薬容器３８〜４１、及び最終反応混合物が入れられる容器３６を収容している単一のパッケージであるから（上記記載（１ｄ）参照）、刊行物１記載の発明における「試薬パッケージ２４」と本願発明における「モジュール」とは「試薬容器と反応キュベットとを収容するモジュール」である点で共通するものであり、
（iii）また、刊行物１記載の発明における「円形コンベヤー１８」は、試薬パッケージを放射状に収容し、時計方向又は反時計方向に回転する円形コンベヤー１８であるから（上記記載（１ｆ）参照）、本願発明における「該モジュールを積載する回転可能なロータ」に相当する。
（iv）そして、刊行物１記載の発明における「シャットルシステム１５」は、試薬パッケージを回転する円形コンベヤ−１８に移送もしくは回転する円形コンベヤー１８から液体移送ステーション１６に移送するものであるから（上記記載（１ｅ）、（１ｆ）参照）、本願発明における「該ロータに向かって前記モジュールを移送するモジュール移送手段」に相当する。
（v）そうすると両者は、「試薬容器と反応キュベットとを収容するモジュールと、該モジュールを積載する回転可能なロータと、該ロータに向かって前記モジュールを移送するモジュール移送手段と、を具備する分析器」である点で一致し、他方、次の＜相違点１＞、及び＜相違点２＞で相違している。
　
＜相違点１＞
　本願発明においては、モジュールが「パイ形状のモジュール」であるのに対し、刊行物１記載の発明においては、モジュールに相当する試薬パッケージ２４が平面状の上部ストリップ３５と複数個の容器３６、３８〜４２からなるものである（上記記載（１ｄ）参照）点。
　
＜相違点２＞
　分析器のモジュール、ロータ、及びモジュール移送手段とが、本願発明では、「前記モジュール移送手段が突出舌片を有すると共に、前記モジュールが前記突出舌片と協動する第１の溝を有し、これら突出舌片と第１の溝とが前記モジュール移送手段によってモジュールが移送せしめられる方向に対して略垂直な方向へ延びており、該突出舌片を前記第１の溝に協動させつつロータに向かって移動させることによってモジュールがロータに向かって移送せしめられ、ロータが回転せしめられたときには突出舌片と第１の溝とが相対的に摺動して突出舌片が第１の溝から抜け出る」ようになっており、さらに「前記モジュールが該モジュールがロータに向かって移送せしめられる方向へと直線的に延びる第２の溝を有し、前記ロータが該第２の溝と協動可能なガイドを有し、前記モジュール移送手段によってモジュールがロータに向かって移送せしめられるときにこれら第２の溝とガイドとが協動するようになっている」のに対して、刊行物１記載の発明では、モジュール移送手段に相当するシャットルシステム１５はトラック５９に沿って移動できる可動タブ６０により試薬パッケージ２４を移動させるものである（上記記載（１ｅ）参照）点。
　
（２）相違点についての当審の判断
＜相違点１＞について
  上記刊行物２には、回転可能なカルーゼル９８に挿入される試薬容器であって、容積の異なる３つの試薬貯蔵の区画室を有し、一体成形された本体１２と底部材１４とからなる試薬容器１０が記載されており（上記記載（２ｂ）、（２ｃ）、（２ｆ）、（２ｇ）参照）、この本体１２の頂部３４と複数の横ウェブ部材３７ａ及び底部材１４の平面形状からみて、該試薬容器は本願発明でいう「パイ形状のモジュール」を形成しているものと認められる（上記記載（２ｃ）及び図面参照）。刊行物２記載の上記試薬容器は、刊行物１記載の発明と同様な臨床用化学分析分野において用いられるとともに、円形コンベヤー１８と同様に回転可能なカルーゼル９８に挿入されるものであり（上記記載（２ｂ）、（２ｆ）参照）、さらに、円形コンベヤー１８に収容するモジュールの形状として、矩形のものよりも「パイ形状」のものの方がスペースを有効利用できて有利であることは当業者にとって明らかであるから、刊行物１記載の発明において、試薬容器の数や容積に応じて試薬モジュール２４の形状を円形コンベヤーの形状に合わせてパイ形状、すなわち「パイ形状のモジュール」とすることは、当業者であれば適宜なし得る設計変更である。
　　　　　　　　　　　　
＜相違点２＞について
（ａ−１）上記刊行物３には、マガジン１０に収納され、横板９０の複数の開孔９６、横板９２の凹所９８に複数の試験管１２が保持可能な複数個の物品支持体１１、第１コンベア装置１４により移動するマガジン１０、仕事位置２０まで延びる第２コンベア装置１８、物品支持体１１をマガジン１０の内部から仕事位置に移動する支持体移送手段２２とからなり、支持体移送手段２２は第２コンベア装置１８により移動する突起部材１０４を有し、物品支持体１１は物品支持体１１の前板８８と横板９４の切り取り部分８４により形成され突起部材１０４と係合される凹所１０６を有し、マガジン１０に収容された複数個の物品支持体１１のうちの１つ物品支持体１１が第２コンベア装置１８によって仕事位置２０に取り出される位置まで第１コンベア装置１４によりマガジン１０をＸ方向に移動する際には、突起部材１０４は物品支持体１１の整列された凹所１０６の中にあってその移動を妨害しないようになっており、第２コンベア装置１８によって支持体移送手段２２の突起部材１０４と物品支持体１１の凹所１０６の物品支持体１１が係合して仕事位置２０からマガジン１０にＹ方向に移動する際には、物品支持体１１の横板９４の凹所９４Ｒが、マガジンの１０の底面５６に一段高くされ、一様な幅を有する路８０に案内されるよう構成された物品処理装置が記載されており（上記記載（３ａ）、（３ｄ）、（３ｅ）、（３ｈ）参照）、さらに、刊行物３記載の「物品処理装置」は、マガジン１０に収納された試験管１２内の試料を仕事位置２０にて試験するものである（上記記載（３ｂ）（３ｉ）参照）から、本願発明の「分析器」に相当する。よって、上記刊行物３記載の物品処理装置と本願発明の分析器と対比すると、上記刊行物３記載の（ａ）「物品支持体１１」、（ｂ）「支持体移送手段２２」、（ｃ）「突起部材１０４」、（ｄ）「突起部材１０４と係合される凹所１０６」、（ｅ）「横板９４の凹所９４Ｒ」、（ｆ）「マガジンの１０の底面５６に一段高くされ、一様な幅を有する路８０」が、それぞれ本願発明の（ａ’）「モジュール」、（ｂ’）「モジュール移送手段」、（ｃ’）「突出舌片」、（ｄ’）「突出舌片と協動する第１の溝、（ｅ’）「直線的に延びる第２の溝」、（ｆ’）「第２の溝と協動可能なガイド」に相当することは明らかである。
（ａ−２）また、刊行物３記載の物品支持体１１は複数の試験管１２を保持するから、刊行物３記載の「物品支持体１１」と本願発明の「モジュール」とは、複数の分析用容器を保持するモジュール」である点で共通し、さらに、上記刊行物３記載の「第１コンベア装置１４により移動するマガジン１０」と本願発明の「ロータ」とは、「モジュールを積載する移動体」で共通するから、上記刊行物３記載の「第１コンベア装置１４により移動するマガジン１０が移動する」ことと本願発明の「ロータが回転する」こととは、「モジュールを積載する移動体が移動する」ことで共通するものである。
（ａ−３）さらに、刊行物３の物品処理装置では、第１コンベア装置１４によりマガジン１０をＸ方向に移動する際に、突起部材１０４は物品支持体１１の整列された凹所１０６の中にあってその移動を妨害しないようにするために、突起部材１０４と凹所１０６とが、支持体移送手段２２が物品支持体１１を移動するＹ方向と垂直なＸ方向に延びるように構成されており（上記（３ｈ）、（３ｊ）参照）、支持体移送手段２２の突起部材１０４を物品支持体１１と係合させ、マガジン１０のＹ軸方向に向かって突起部材１０４を移動させることにより、物品支持体１１をマガジン１０に向かって移動し、マガジン１０がＸ方向に移動するときには凹所１０６が突起部材１０４をまたいだ状態にされ、マガジン１０が自由に移動でき、物品支持体１１が、マガジン１０に向かって移動する方向に延びる横板９４の凹所９４Ｒを有し、マガジン１０が凹所９４Ｒを案内する路８０を有し、支持体移送手段２２によって物品支持体１１がマガジン１０に向かって移動するときに、凹所９４Ｒと路８０とが協動するようになっている（上記（３ｄ）、（３ｅ）、（３ｈ）、（３ｊ））から、刊行物３の「突起部材１０４と凹所１０６とが、支持体移送手段２２が物品支持体１１を移動するＹ方向と垂直なＸ方向に延びる」ことと、本願発明の「突出舌片と第１の溝とが前記モジュール移送手段によってモジュールが移送せしめられる方向に対して略垂直な方向へ延び」とは、「これら突出舌片と第１の溝とが前記モジュール移送手段によってモジュールが移送せしめられる方向に対してその移動を妨害しない方向へ延び」ている点で共通する。
（ａ−４）以上により、刊行物３の物品処理装置と、本願発明の分析器とは、「複数の分析用容器を保持するモジュールと、該モジュールを積載する移動体と、該移動体に向かって前記モジュールを移送するモジュール移送手段と、を具備し、前記モジュール移送手段が突出舌片を有すると共に、前記モジュールが前記突出舌片と協動する第１の溝を有し、これら突出舌片と第１の溝とが前記モジュール移送手段によってモジュールが移送せしめられる方向に対してその移動を妨害しない方向へ延びおり、該突出舌片を前記第１の溝に協動させつつモジュールを積載する移動体に向かって移動させることによってモジュールがモジュールを積載する移動体に向かって移送せしめられ、モジュールを積載する移動体が移動にせしめられたときには突出舌片と第１の溝とが相対的に摺動して突出舌片が第１の溝から抜け出るようになっている分析器において、前記モジュールが該モジュールがモジュールを積載する移動体に向かって移送せしめられる方向へと直線的に延びる第２の溝を有し、前記モジュールを積載する移動体が該第２の溝と協動可能なガイドを有し、前記モジュール移送手段によってモジュールがモジュールを積載する移動体に向かって移送せしめられるときにこれら第２の溝とガイドとが協動するようになっていることを特徴とする分析器。」点で共通することになる。
（ｂ−１）他方、上記第４　（１）の本願発明の分析器と刊行物１記載のランダムアクセス自動分析装置との対比、及び上記（ａ−１）〜（ａ−４）の刊行物３の物品処理装置と本願発明の分析器との対比をふまえて、刊行物１記載の発明のランダムアクセス自動分析装置と刊行物３記載の物品処理装置とを対比すると、刊行物３記載の物品処理装置は、上記マガジン１０に収納された試験管１２内の試料を仕事位置２０にて試験するものであるから、刊行物１記載の発明のランダムアクセス自動分析装置と刊行物３記載の物品処理装置とは、「分析器」で共通し、また、刊行物１記載の発明の「試薬パッケージ２４」と刊行物３記載の「物品支持体１１」とは、「複数の分析用の容器の保持するモジュール」である点で共通し、さらに、刊行物１記載の発明の「円形コンベヤー１８」と刊行物３記載の「マガジン１０」とは「試薬パッケージ２４」や「物品支持体１１」の「モジュール」を積載する「移動体」で共通するものである。そして、刊行物１記載の発明の「シャトルシステム１５」は、複数の分析用の容器を保持する保持体である試薬パッケージ２４を円形コンベヤー１８の複数のスロット９０に収容させるのに、円形コンベヤー１８の複数のスロット９０のうちの一つのスロット９０が収容可能な位置にきたときに試薬パッケージ２４を円形コンベヤー１８のスロット９０の方向に移動させて収容するものであり、刊行物３記載の物品処理装置の「支持体移送手段２２」は、マガジン１０の底面５６の一段高くされ一様な幅を有する路８０が物品支持体１１を収納するための所定の位置にきたときに物品支持体１１の横板９４Ｒの凹所９４Ｒをマガジン１０の所定の路８０の係合させて収容するものであるから、刊行物１記載の発明の「シャトルシステム１５」と刊行物３記載の「支持体移送手段２２」とは、「移動体に向かってモジュールを移送するモジュール移送手段」で共通するものである。
　そうすると、刊行物１記載の発明のランダムアクセス自動分析装置と、上記刊行物３記載の物品処理装置とは、「複数の分析用の容器の保持するモジュールと、該モジュールを積載する移動体と、該移動体に向かってモジュールを移送するモジュール移送手段と、を具備する分析器」という共通する構成を有し、かつ、刊行物１記載の発明の「シャトルシステム１５」と刊行物３記載の「支持体移送手段２２」とは、移動体に向かってモジュールを移送するモジュール移送手段で共通するものであるから、刊行物１記載の発明の自動分析装置において、試薬パッケージ２４を円形コンベヤー１８に移動させる際に、刊行物１記載の発明の移送するモジュール移送手段となる「シャトルシステム１５」の代わりに、突起部材１０４を有する「支持体移送手段２２」を用いるとともに、刊行物１記載のモジュールとなる「試薬パッケージ２４」に、刊行物３記載の「物品支持体１１」のごとく、凹所と支持体移送手段２２の突起部材１０４と係合される凹所１０６を設けるとともに、モジュールを積載する移動体となる「円形コンベヤー１８」が移動する際には突起部材１０４が凹所１０６の中にあってはその移動を妨害しないように構成し、さらに、「試薬パッケージ２４」に設けた横板９４に凹所９４Ｒを設け、この凹所９４Ｒが円形コンベヤー１８の底面５６に形成した一段高くされ一様な幅を有する路８０に案内されるよう構成すること、すなわち、上記（ａ−１）の上記刊行物３記載の物品処理装置の各構成要素と本願発明の分析器の各構成要素の対応関係を参考にすると、分析器のモジュール、ロータ、及びモジュール移送手段とが「前記モジュール移送手段が突出舌片を有すると共に、前記モジュールが前記突出舌片と協動する第１の溝を有し、これら突出舌片と第１の溝とが前記モジュール移送手段によってモジュールが移送せしめられる方向に対して」その移動を妨害しない「方向へ延びており、該突出舌片を前記第１の溝に協動させつつロータに向かって移動させることによってモジュールがロータに向かって移送せしめられ、ロータが回転せしめられたときには突出舌片と第１の溝とが相対的に摺動して突出舌片が第１の溝から抜け出る」するようになっており、さらに「前記モジュールが該モジュールがロータに向かって移送せしめられる方向へと直線的に延びる第２の溝を有し、前記ロータが該第２の溝と協動可能なガイドを有し、前記モジュール移送手段によってモジュールがロータに向かって移送せしめられるときにこれら第２の溝とガイドとが協動するようになっている」ように構成することは当業者が容易になし得るものである。
　さらに、刊行物１記載の発明の「シャトルシステム１５」、及び「試薬パッケージ２４」の各構成の代わりに、それぞれ刊行物３記載の物品処理装置の「支持体移送手段２２」の突起部材１０４、及び「物品支持体１１」の凹所１０６の構成を採用した場合、円形コンベヤー１８に収納され、「試薬パッケージ２４」に設けられた凹所１０６は、停止している突起部材１０４が凹所１０６の中にある状態で回転するものであり、この凹所１０６が回転する際に、突起部材１０４が凹所１０６の中にあってその移動を妨害しないように構成するには、凹所１０６を円弧状に形成して、凹所１０６の中に突起部材１０４があるように形成することが必要なことは自明な事項であり、さらに、試薬パッケージ２４の形状が上記＜相違点１＞に記載の「パイ形状」であっても同様のことがいえるから、刊行物１記載の発明の「シャトルシステム１５」、及び「試薬パッケージ２４」の各構成の代わりに、それぞれ刊行物３記載の物品処理装置の「支持体移送手段２２」の突起部材１０４、及び「物品支持体１１」の凹所１０６の構成を採用した場合に、凹所１０６を円弧状に形成して、凹所１０６の中に突起部材１０４があるように形成すること、すなわち、突出舌片と第１の溝とが前記モジュール移送手段によってモジュールが移送せしめられる方向に対して「略垂直な」方向へ延びているように形成することは当業者が当然なすべき設計事項にすぎないものである。
　そして、本願発明によってもたらされる効果は、本願優先日前日本国内において頒布された上記刊行物１ないし３に記載された発明から予測される範囲内のものであり、格別のものではない。
　したがって、本願発明は、本願優先日前日本国内において頒布された上記刊行物１ないし３に記載された発明に基づいて、当業者が容易に発明をすることができたものである。
　
　なお、本件出願には他の発明として、モジュールが突出舌片を有しモジュール移送手段が第１の溝を有する態様（請求項１）が含まれているが、モジュールとモジュール移送手段のどちらに突出舌片あるいは溝を設けるかは、モジュールとモジュール移送手段を構成する際に当業者が必要に応じて適宜採用しうる単なる設計事項にすぎないものであり、これらの発明についても上述したのと同様の理由で当業者が容易になし得たものと認められる。
　　　　　　　　
第５　むすび
　以上のとおりであるから、本願発明は、特許法第２９条第２項の規定により特許を受けることができないものであり、その余の請求項に係る発明について検討するまでもなく、本件出願は、拒絶をすべきものである。 
　よって、結論のとおり審決する。